(57)【要約】  情報処理システムとポータブル通信デバイスを統合するための装置および方法が開示される。第１の情報処理システムは、ドック、ケーブルまたは無線リンクなどの接続を介して、第２の情報処理システムと結合される。インタフェース接続マネージャは、結合されると、第２のシステムを、第１のシステムのネットワーク接続および周辺機器を使用して、処理動作を実行可能とし、この逆も可能とするように実装されている。インタフェース接続マネージャは、結合されたシステムと第３の情報処理システムとの間で、通常は物理的接続または無線ネットワーク接続を介して、通信チャネルを確立する。インタフェース接続マネージャは、同様に、第１のシステムを、第２のシステムに実装された認証モジュールにアクセスすることで認証動作を実行可能とする。パワーマネジメントモジュールは、物理的に結合されている場合に、第１のシステムの電力源から第２のシステムに電力を供給するために、両システムの個々の電力状態を管理する。
2010518466.tif 000002
【特許請求の範囲】
【請求項１】
処理を情報するためのシステムであって、
第２の情報処理システムと結合されるように動作可能な第１の情報処理システムと、
前記第１の情報処理システムと前記第２の情報処理システムとの間で、情報を通信するように動作可能な少なくとも１つの通信チャネルを確立する処理ロジックと、
前記第１の情報処理システムと前記第２の情報処理システムの間で複数のインタフェース接続を可能にするように動作可能なインタフェース接続バスと、
前記第２の情報処理システムに情報処理動作を実行可能とさせるように動作可能なインタフェース接続マネージャとを備え、前記第２の情報処理システムは、前記第１の情報処理システムの少なくとも１つの入出力デバイスインタフェースに接続されるシステム。
【請求項２】
前記第２の情報処理システムは、前記第１の情報処理システムと物理的に結合されるように動作可能である請求項１に記載のシステム。
【請求項３】
前記物理的結合はケーブルを介しており、前記ケーブルは複数のインタフェース接続を有する請求項２に記載のシステム。
【請求項４】
前記物理的結合はドックを介しており、前記ドックは複数のインタフェース接続を有する請求項２に記載のシステム。
【請求項５】
前記ドックはＰＣＭＣＩＡスロットまたはＥｘｐｒｅｓｓＣａｒｄスロットを有し、前記ＰＣＭＣＩＡスロットは複数のインタフェース接続を有する請求項４に記載のシステム。
【請求項６】
情報を処理するための方法であって、
第１の情報処理システムを第２の情報処理システムと結合するステップと、
前記第１の情報処理システムと前記第２の情報処理システムとの間で情報を通信するように動作可能な少なくとも１つの通信チャネルを確立するために処理ロジックを使用するステップと、
インタフェース接続バスを介して前記第１の情報処理システムと前記第２の情報処理システムとの間で複数の所定のインタフェース接続を有効にするステップと、
前記第１の情報処理システムの少なくとも１つの入出力デバイスインタフェースを前記第２の情報処理システムと接続するために、インタフェース接続マネージャを使用して、前記第２の情報処理システムに情報処理動作を実行可能にさせるステップと、を含む方法。
【請求項７】
前記第２の情報処理システムは前記第１の情報処理システムと物理的に結合されるように動作可能である、請求項６に記載の方法。
【請求項８】
前記物理的結合はケーブルを介しており、前記ケーブルは複数のインタフェース接続を有する、請求項７に記載の方法。
【請求項９】
前記物理的結合はドックを介しており、前記ドックは複数のインタフェース接続を有する、請求項７に記載の方法。
【請求項１０】
前記ドックはＰＣＭＣＩＡスロットを有し、前記ＰＣＭＣＩＡスロットは複数のインタフェース接続を有する、請求項９に記載の方法。 
【発明の詳細な説明】
【技術分野】
【０００１】
本発明の実施形態は、一般に、情報処理システムおよび通信システムに関する。より詳細には、本発明の実施形態は、情報処理システムとポータブル通信デバイスを統合するための方法および装置を提供する。
【背景技術】
【０００２】
マイクロプロセッサの設計と製造の進歩により、フォームファクタが小さく、消費電力が中程度であり、熱放散の少ない強力なコンピューティングプラットホームが進化を遂げている。このようなプラットホームは、携帯電話、スマートフォン、ラップトップコンピュータタブレットＰＣ、ＰＤＡ、バーコードリーダ等の特殊目的デバイスなど、さまざまな無線対応モバイルデバイスに採用されている。このようなデバイスの多くは、似たような動作機能、処理機能および通信機能を有するものの、１台であらゆるニーズに対応できるデバイスは存在しない。この結果、ワイヤレス対応のモバイルデバイスが常に増え続け、ユーザは多くの場合、それぞれが特定の用途に適い、異なる通信手段を使用しうる複数のデバイスを持ち歩くようになっている。
【発明の概要】
【発明が解決しようとする課題】
【０００３】
モバイルユーザが、ラップトップコンピュータ、個人情報端末（ＰＤＡ）、携帯電話、セキュアＥＤトークン、オーディオ／ビデオ（Ａ／Ｖ）メディアプレーヤ、デジタルカメラを持ち歩くことは一般的である。このようなデバイスのそれぞれの個別の機能を、ほかのデバイスの機能に組み込むことができるものの、一般には機能の低下という犠牲を伴う。例えば、最新のラップトップコンピュータは、デスクトップユニットに匹敵する処理能力、記憶能力、表示能力および通信能力を提供し、このすべてが、かなり軽量の筐体（package）に搭載されている。しかし、ラップトップコンピュータは、休止モードに入っていない限り、ブートアップ時間が据置き型システムと同じくらい長くなることがある。ＰＤＡの多くは、強力なデータ処理能力を有するが、フォームファクタが小さいことにより、ＰＤＡのディスプレイ画面のサイズが制約され、ユーザの入力方式が、小型キーボードかスタイラスジェスチャの使用に制約される。現在、限られたＰＤＡ機能が、同じように限られたデジタルカメラ機能とＡ／Ｖメディアのプレイ機能と共に、スマートフォンに集約されているものの、スマートフォンは、更にフォームファクタが小さく、軽量で、バッテリ寿命が短く、使用モデルが更に限られることにより、その演算機能、ディスプレイ画面、入力方式および記憶容量が更に制約される。スマートフォンや、ＰＤＡ、Ａ／Ｖメディアプレーヤ専用機、デジタルカメラ、その他のフォームファクタの小さなモバイルデバイスは、軽量で、可搬性がきわめて高く、かつ使用しやすいように設計されている。しかし、モバイルユーザが、フルサイズキーボードや大画面などの高度なＩ／Ｏ機能を好む場合もある。ラップトップコンピュータは、通常、ユニバーサルシリアルバス（ＵＳＢ）、ＩＥＥＥ１３９４（Ｆｉｒｅｗｉｒｅ）、ＰＣＩ  Ｅｘｐｒｅｓｓ、ＨｙｐｅｒＴｒａｎｓｐｏｒｔのほか、最近増えているブルートゥース、超広帯域無線（ＵＷＢ）等のワイヤレス接続などの物理的接続を介して、モバイルデバイスにこのようなＩ／Ｏ機能を提供することができる。このような接続オプションは、所望の機能を提供するものの、設定に時間がかかり、ユーザがラップトップコンピュータの電源を入れるのが不便であるか、電源投入に時間がかかり過ぎることがある。
【０００４】
更に、ユーザは、所有するデバイスを、利用可能なすべての方法で接続できることを更に望むようになっている。例えば、ユーザは、ラップトップコンピュータがセルラ（例えばＧＰＲＳまたはＥＤＧＥ）機能を備えたり、あるいは、デジタルカメラおよび携帯電話がＩＥＥＥ８０２．１１無線接続機能を備えることを望むことがある。このような拡張機能を搭載させることは可能であるものの、コストの上昇、大型化、バッテリ容量の短縮および重量化という犠牲を伴う。例えば、最新のラップトップコンピュータの多くは、物理的ローカルエリアネットワーク（ＬＡＮ）接続機能用のイーサネットポート、無線ＬＡＮ（ＷＬＡＮ）接続機能用のＩＥＥＥ８０２．１１の改良版（variant）に対応したトランシーバ、およびパーソナルエリアネットワーク（ＰＡＮ）接続機能用のブルートゥーストランシーバを備えている。現在では、ＷｉＦｉ通信を搭載している携帯電話およびＰＤＡはほとんどない。これに代わり、携帯電話およびＰＤＡは、通常、現行の音声規格および新たに登場している音声規格をベースとしたデータ通信機能を備えて実装される。例えば、第２．５世代の携帯電話は、音声通信用にＧＳＭ（global system for mobile communications）および付随する（companion）ＧＰＲＳ（general packet radio services）を使用しうる。第２．７５世代のスマートフォンは、音声用にＧＳＭと、データ通信用にＥＤＧＥ（enhanced data rates for GSM evolution）を使用しうる。第３世代のスマートフォンは、ＵＭＴＳ（ＵＭＴＳuniversal mobile telecommunications system）またはＷ−ＣＤＭＡ（wideband code division multiple access）を実装しうる。更に、超広帯域無線（ＵＷＢ）、ＥＶＤＯ（evolution-data optimized）、ＩＥＥＥ８０２．１６（ＷｉＭＡＸ）、無線広帯域（ＷｉＢｒｏ）、高速下りパケットアクセス（ＨＳＤＰＡ）および高速上りパケットアクセス（ＨＳＵＰＡ）などの、新たに登場した更に別の通信規格が、第４世代（４Ｇ）技術に実装されようとしている。これらのプロトコルはそれぞれ利点を有するものの、１台のデバイスが、これらのプロトコルのすべてをサポートすることはできない。デバイスを追加のプロトコルに対応させることは可能であるものの、追加により、コストの増大、大型化、バッテリ容量の短縮および重量化という犠牲を伴う。更に、競合する通信事業者は異なるプロトコルをサポートしており、その有効範囲（coverage）は共通ではなく、モバイルデバイスの製造業者とユーザにも同様に困難を突きつけている。
【０００５】
所定の状況の組み合わせに対して、ユーザが最適かつ利用可能なモバイルデバイスおよび通信技術を使用でき、かつ、すべてのモバイルデバイスの統合された機能を容易に、自由に利用できることが望ましい。例えば、ユーザが、演算能力源としてスマートフォンを使用するが、ラップトップコンピュータを再起動、再開したり、電源を完全に投入したり、ケーブル接続を使用せずに、ラップトップコンピュータのＷｉＦｉ接続機能、フルサイズのキーボードおよび大型ディスプレイを利用したいと考えることがある。１つの手法は、ユーザが、スマートフォンをラップトップコンピュータにドッキングさせ、ラップトップコンピュータの機能を、スマートフォンの拡張周辺機器として使用できるようにする方法がある。スマートフォンがドッキングされると、ラップトップコンピュータは、スマートフォンに電力を供給し、そのバッテリを再充電するために、ラップトップコンピュータの周辺機器に電力を供給し、かつその電源を使用している状態では、低電力状態で動作しうる。しかし、このような機能は現在存在しない。
【課題を解決するための手段】
【０００６】
情報処理システムとポータブル通信デバイスを統合するための装置および方法が開示される。各種実施形態では、第１の情報処理システムが第２の情報処理システムと結合される。前記両システムは、結合されると、通常は物理的接続または無線ネットワーク接続を介して、前記システム間の通信チャネルと、第３の情報処理システムとの通信チャネルを確立可能な処理論理を有する。このような実施形態では、インタフェース接続バスが、前記両システム間で複数のインタフェース接続を可能にするように実装されている。各種実施形態では、インタフェース接続マネージャは、前記第２の情報システムを、前記第１の情報処理システムのネットワーク接続および周辺機器を使用して処理動作を実行可能とする。このような実施形態では、インタフェース接続マネージャは、同様に、前記第１の情報システムを、前記第２の情報処理システムのネットワーク接続および周辺機器を使用して処理動作を実行可能とする。別の実施形態では、前記インタフェース接続マネージャは、前記第１の情報処理システムを、前記第２の情報処理システムに実装された認証モジュールにアクセス可能とする。前記認証は、アクセスされると、前記第１の情報処理システムのユーザを認証するための認証動作を実行する。
【０００７】
一実施形態では、前記第１の情報処理システムは、ユニバーサルシリアルバス（ＵＳＢ）接続などの物理的接続を介して、前記第２の情報処理システムと結合される。別の実施形態では、前記第１の情報処理システムは、ブルートゥースまたはＩＥＥＥ８０２．１１（ＷｉＦｉ）接続などの無線接続を介して、前記第２の情報処理システムと結合される。別の実施形態では、前記第１の情報処理システムは、物理的ドッキング接続を介して前記第２の情報処理システムと結合される。一実施形態では、前記ドックは、フォームファクタが所定のモバイルデバイスと一致するソケットである。別の実施形態では、前記ソケットドックは汎用であり、所定のモバイルデバイスを前記ユニバーサルドックに適合させるように実装されたアダプタを受け容れるように実装される。更に別の実施形態では、前記ドックは、ＰＣＭＣＩＡスロットまたはＥｘｐｒｅｓｓＣａｒｄスロットを備える。
【０００８】
さまざまな実施形態では、パワーマネジメントモジュールは、前記第１の情報処理システムと前記第２の情報処理システムの個々の電力状態を管理するように実装されている。前記パワーマネジメントモジュールは、前記両システムが結合されると、これらの動作機能および現在の動作状態を評価することができる。一実施形態では、前記パワーマネジメントモジュールは、前記第１の情報処理システムの電力源から前記第２の情報処理システムに電力を供給するために、前記両システムの個々の電力状態を管理する。別の実施形態では、前記パワーマネジメントモジュールは、前記第１の情報処理システムの電力源から前記第２の情報処理システムのバッテリを再充電するために、前記両システムの前記個々の電力状態を管理する。
【０００９】
本発明は、添付の図面を参照することによってより明確に理解することができ、その数多くの目的、特徴および利点が、当業者には明白となろう。同じ参照符号を複数の図面にまたがって使用している場合、同じ要素または似た要素を参照している。
【図面の簡単な説明】
【００１０】
【図１】本発明の実施形態に従ってモバイルデバイスと結合された情報処理システムを示す模式（generalized）ブロック図。
【図２ａ】本発明の実施形態に従ってモバイルデバイスと結合された情報処理システムを示す模式フローチャート。
【図２ｂ】本発明の実施形態に従ってモバイルデバイスと結合された情報処理システムを示す模式フローチャート。
【図３】本発明の実施形態に従ってモバイルデバイスと結合された情報処理システムの模式図。
【図４】本発明の実施形態に従って、複数のドッキング接続を介してモバイルデバイスと結合された情報処理システムの模式図。
【図５】本発明の実施形態に係るドッキングアダプタの実装によって、複数のモバイルデバイスと結合可能とされた情報処理システムの模式図。
【図６】本発明の実施形態に従って実装された認証モジュールを備えた複数のモバイルデバイスと結合可能とされた情報処理システムの模式図。
【発明を実施するための形態】
【００１１】
情報処理システムとポータブル通信デバイスとを統合するための装置および方法が提供される。第１の情報処理システムが、ドック、ケーブルまたは無線リンクなどの接続を介して、第２の情報処理システムと結合される。両システムは、結合されると、通常、物理的接続または無線ネットワーク接続を介して、両システム間の通信チャネルと、第３の情報処理システムとの通信チャネルを確立する。インタフェース接続マネージャは、第２の情報システムを、第１の情報処理システムのネットワーク接続および周辺機器を使用して処理動作を実行可能とし、第１の情報処理システムを、第２の情報処理システムのネットワーク接続および周辺機器を使用して処理動作を実行可能とする。インタフェース接続マネージャは、同様に、第１の情報処理システムを、第２の情報処理システムに実装された認証モジュールにアクセス可能とする。認証モジュールは、アクセスされると、第１の情報処理システムのユーザを認証するための認証動作を実行する。パワーマネジメントモジュールは、物理的に結合されている場合に、第１の情報処理システムの電力源から第２の情報処理システムに電力を供給するために、両システムのそれぞれの電力状態を管理する。
【００１２】
図１は、本発明の実施形態に従ってモバイルデバイスと結合された情報処理システム１００を示すブロック図である。システム１００は、プロセッサ１１０、シンクロナスダイナミックアランダムアクセスメモリ（ＳＤＲＡＭ）コントローラ１１２、スタティックランダムアクセスメモリ（ＳＲＡＭ）コントローラ１１４、リアルタイムクロック１１６、パワーマネジメントモジュール１１８、ディスプレイコントローラ１３２、通信コントローラ１３６、入出力（Ｉ／Ｏ）コントローラ１４２、および周辺機器コントローラ１２０を備え、これらはすべてバス１３０を介して相互接続されている。
【００１３】
インタフェース接続バス１８０は、インタフェース接続マネージャ１８２とモバイルデバイスドック１８４をバス１３０に結合している。本発明の各種実施形態では、ドッキングされているモバイルデバイス１８６が、モバイルデバイスドック１８４を介してインタフェース接続バス１８０と物理的に結合されている。一実施形態では、モバイルデバイスドック１８４は、ＰＣＭＣＩＡスロットまたはＥｘｐｒｅｓｓＣａｒｄスロットを備える。本発明の別の実施形態では、ドッキングされていないモバイルデバイス１８６が、Ｉ／Ｏポート１４４およびＩ／Ｏコントローラ１４２へのケーブル接続を介して、インタフェース接続バス１８０と物理的に結合されている。一実施形態では、物理的結合は、ユニバーサルシリアルバス（ＵＳＢ）接続を介した接続である。別の実施形態では、物理的結合は、ＩＥＥＥ１３９４（Ｆｉｒｅｗｉｒｅ）接続を介した結合である。本発明の更に別の実施形態では、ドッキングされていないモバイルデバイス１８６は、ネットワーク１３８への無線ネットワーク接続を介して、インタフェース接続バス１８０と無線により結合されている。当業者は、画像ファイルおよび複数の情報の種類を共有するには、複数のバスを実装する必要があることを理解するであろう。このように、本明細書に示すバスは、高次表現に過ぎないと解釈すべきであり、すべてを網羅するか、完全なものではない。
【００１４】
本発明の一実施形態では、インタフェース接続バス１８０は、ドッキングされているモバイルデバイス１８６と情報処理システム１００の間で、複数のインタフェース接続を可能にするように動作可能である。一実施形態では、インタフェース接続マネージャ１８２は、周辺機器コントローラ１２０と結合された少なくとも１つの周辺機器に接続されている状態で、ドッキングされているモバイルデバイス１８６を、情報処理動作を実行可能とするように動作可能である。別の実施形態では、インタフェース接続マネージャ１８２は、ディスプレイ１３４に画像を描画するために、ドッキングされているモバイルデバイス１８６を、ディスプレイコントローラ１３２に接続可能とするように動作可能である。別の実施形態では、インタフェース接続マネージャ１８２は、ネットワーク１３８とのネットワーク接続を確立するために、ドッキングされているモバイルデバイス１８６を、通信コントローラ１３６に接続可能とするように動作可能である。
【００１５】
さまざまな実施形態では、ネットワーク１３８は、イーサネットネットワーク等のローカルエリアネットワーク（ＬＡＮ）、またはインターネット等のワイドエリアネットワーク（ＷＡＮ）を有しうる。同様に、ネットワーク１３８は、ＩＥＥＥ規格８０２．１１の改良版をベースとしたＷＬＡＮ等の無線ローカルエリアネットワーク（ＷＬＡＮ）、あるいは、ＥＤＧＥ（enhanced data rates for GSM evolution）、Ｗ−ＣＤＭＡ（wideband code division multiple access）、ＥＶＤＯ（evolution-data optimized）、ＩＥＥＥ８０２．１６（ＷｉＭＡＸ）、無線ブロードバンド（ＷｉＢｒｏ）、高速下りパケットアクセス（ＨＳＤＰＡ）、および高速上りパケットアクセス（ＨＳＵＰＡ）等をベースとしたＷＷＡＮなどの無線ワイドエリアネットワーク（ＷＷＡＮ）を有しうる。同様に、ネットワーク１３８は、ブルートゥースまたは超広帯域無線（ＵＷＢ）などのパーソナルエリアネットワーク、あるいは、２つの情報処理システム同士で、情報を交換するために接続を確立するように動作可能な電気通信技術およびプロトコルの組み合わせを有してもよい。別の実施形態では、インタフェース接続マネージャ１８２は、情報処理システム１００を、インタフェース接続バス１８０とモバイルデバイスドック１８４を介して、ドッキングされているモバイルデバイス１８６と物理的に結合可能とするように動作可能である。インタフェース接続マネージャは、モバイルデバイスと結合されると、ドッキングされているモバイルデバイスの通信機能を使用して、ネットワーク接続を確立するように動作可能である。 
【００１６】
一部の実施形態では、パワーマネジメントモジュール１１８は、情報処理システム１００およびドッキングされているモバイルデバイス１８６がインタフェース接続バス１８０を介して物理的に結合されている場合に、情報処理システム１００およびドッキングされているモバイルデバイス１８６の電力状態を管理するように動作可能である。一実施形態では、パワーマネジメントモジュール１１８は、情報処理システム１００およびドッキングされているモバイルデバイス１８６がインタフェース接続バス１８０を介して物理的に結合されている場合に、情報処理システム１００からドッキングされているモバイルデバイス１８６に電力を供給するように動作可能である。別の実施形態では、パワーマネジメントモジュール１１８は、ドッキングされているモバイルデバイス１８６の電力状態を、ドッキングされているモバイルデバイスのバッテリを再充電するように動作可能な所定の電力状態に管理するように動作可能である。特定の実施形態では、パワーマネジメントモジュール１１８は、ケーブル接続（例えば、ＵＳＢ）を介して、モバイルデバイス１８６の電力状態を、ドッキングされているモバイルデバイスのバッテリを再充電するように動作可能な所定の電力状態に、管理するように動作可能である。
【００１７】
ＳＤＲＡＭコントローラ１１２は、ＳＤＲＡＭ１４０と結合されている。ＳＲＡＭコントローラ１１４は、スタティックバス１５０と結合されている。スタティックバス１５０は、複数の汎用Ｉ／Ｏ信号経路を含む複数の制御信号経路を有する汎用バスである。ＳＤＲＡＭコントローラ１１２が通信しているデバイスの種類に応じて、制御信号経路および汎用Ｉ／Ｏ信号経路の一部もしくは全部が使用されうる。
【００１８】
また、スタティックバス１５０は、例えば、ＬＣＤコントローラ１６０、ＰＣＭＣＩＡ（personal computer memory card international association）デバイス１６２、フラッシュメモリデバイス１６４、ＳＲＡＭ１６６、読み出し専用メモリ（ＲＯＭ）１６８、および拡張バス１７０などの１つ以上のスタティックバスデバイスと結合されている。ＳＲＡＭコントローラ１１４は、汎用バスコントローラとして機能し、複数のスタティックバスデバイスのいずれか１つと通信しうる。例えば、ＳＲＡＭコントローラ１１４がＳＲＡＭ１６６と通信している間は、ＳＲＡＭコントローラ１１４はＳＲＡＭコントローラとして機能する。ＳＲＡＭコントローラ１１４がＰＣＭＣＩＡデバイス１６２と通信している間は、ＳＲＡＭコントローラ１１４はＰＣＭＣＩＡコントローラとして機能する。 
【００１９】
図２ａ〜ｂは、本発明の実施形態に従ってモバイルデバイスと結合された情報処理システム２００を示す模式フローチャートである。特定の実施形態では、ステップ２０２において、インタフェース接続マネージャによって、モバイルデバイスが情報処理システムに結合されたことが検出される。結合が検出されると、ステップ２０４において、インタフェース接続マネージャは、結合されたモバイルデバイスと情報処理システムの両方の動作機能と現在の動作状態を決定する。
【００２０】
ステップ２０６において、インタフェース接続マネージャは、モバイルデバイスが情報処理システムと物理的に結合されているかどうかを判定する。物理的に結合されていない場合、ステップ２２０において、インタフェース接続マネージャはモバイルデバイスと情報処理システムの間で、最適なネットワーク接続を確立する。さまざまな実施形態では、ネットワーク接続は、イーサネットネットワーク等のローカルエリアネットワーク（ＬＡＮ）を介した接続、またはインターネット等のワイドエリアネットワーク（ＷＡＮ）を介した接続であってもよい。同様に、ネットワーク接続は、ＩＥＥＥ規格８０２．１１の改良版をベースとしたＷＬＡＮ等の無線ローカルエリアネットワーク（ＷＬＡＮ）、あるいは、ＥＤＧＥ（enhanced data rates for GSM evolution）、Ｗ−ＣＤＭＡ（wideband code division multiple access）、ＥＶＤＯ（evolution-data optimized）、ＩＥＥＥ８０２．１６（ＷｉＭＡＸ）、無線ブロードバンド（ＷｉＢｒｏ）、高速下りパケットアクセス（ＨＳＤＰＡ）、または高速上りパケットアクセス（ＨＳＵＰＡ）等をベースとしたＷＷＡＮなどの無線ワイドエリアネットワーク（ＷＷＡＮ）を介した接続であってもよい。同様に、ネットワーク接続は、ブルートゥースまたは超広帯域無線（ＵＷＢ）などのパーソナルエリアネットワーク、あるいは、モバイルデバイスと情報処理システム同士が、情報を交換するために接続を確立するように動作可能な電気通信技術およびプロトコルの組み合わせを介した接続であってもよい。ステップ２２０において最適なネットワーク接続が確立されると、ステップ２２２で、モバイルデバイスと情報処理システムのいずれが情報処理動作を担うかの判定が開始される。 
【００２１】
ステップ２０６において、モバイルデバイスが情報処理システムと物理的に結合されていると、インタフェース接続マネージャが判定した場合、ステップ２０８においてモバイルデバイスの電力状態が決定される。一実施形態では、モバイルデバイスは、ドックを介して情報管理システムに物理的に結合される。別の実施形態では、ドックは、ＰＣＭＣＩＡスロットまたはＥｘｐｒｅｓｓＣａｒｄスロットを備える。本発明の別の実施形態では、モバイルデバイスは、入出力（Ｉ／Ｏ）ポートへのケーブル接続を介して、情報処理システムと物理的に結合される。一実施形態では、物理的結合は、ユニバーサルシリアルバス（ＵＳＢ）接続を介した接続である。別の実施形態では、物理的結合は、ＩＥＥＥ１３９４（Ｆｉｒｅｗｉｒｅ）接続を介した接続である。
【００２２】
ステップ２１０において、モバイルデバイスの電力状態に加えて、他の所定の動作機能および現在の動作状態が、情報処理システムの動作機能および動作状態と比較される。次に、ステップ２１２において、情報処理システムに実装されているパワーマネジメントモジュールが、モバイルデバイスと情報処理システムの両方の電力状態を管理するように動作可能であるかどうかが判定される。動作可能ではない場合、ステップ２２２で、モバイルデバイスと情報処理システムのいずれが情報処理動作を担うかの判定が開始される。動作可能な場合、ステップ２１４において、パワーマネジメントモジュールが、情報処理システムの電力源を使用して、モバイルデバイスに電力を供給するかどうかが判定される。電力を供給しない場合、ステップ２２２で、モバイルデバイスと情報処理システムのいずれが情報処理動作を担うかの判定が開始される。電力を供給する場合、ステップ２１６において、パワーマネジメントモジュールが、情報処理システムの電力源を使用して、モバイルデバイスのバッテリを再充電するかどうかが判定される。再充電する場合、ステップ２１８において、モバイルデバイスのバッテリの再充電動作が開始される。再充電しない場合、ステップ２２２で、モバイルデバイスと情報処理システムのいずれが情報処理動作を担うかの判定が開始される。
【００２３】
ステップ２２２において、モバイルデバイスが情報処理動作の実行に使用されると判定された場合、ステップ２２４において、モバイルデバイスが、動作を実行するために、情報処理システムの周辺機器を使用するかどうかが判定される。情報処理システムの周辺機器が使用されない場合、ステップ２３４において、モバイルデバイスが、情報処理動作を実施するために、モバイルデバイスの周辺機器を使用するかどうかが判定される。モバイルデバイスの周辺機器が使用される場合、ステップ２３６において、インタフェース接続マネージャは、モバイルデバイスの周辺機器インタフェースとの接続を確立する。ステップ２３８において処理動作が開始され、ステップ２４０において周辺機器の接続を変更するかどうかが判定されるまで、この動作が続行される。周辺機器の接続を変更すると判定された場合、ステップ２２４から上記工程が繰り返される。周辺機器接続を変更しないと判定された場合、ステップ２４２において、情報処理動作のためにシステムを変更するかどうかが判定される。情報処理動作のためにシステムを変更すると判定された場合、ステップ２２２から上記工程が繰り返される。システムを変更しないと判定された場合、ステップ２４４において、モバイルデバイスが情報処理システムから切断されているかどうかが判定される。切断されている場合、ステップ２４６において動作が終了する。切断されていない場合、ステップ２０２でモバイルデバイスの結合の検出が開始される。
【００２４】
ステップ２２４において、モバイルデバイスが、処理動作を実行するために情報処理システムの周辺機器を使用すると判定された場合、ステップ２２６において、情報処理システムが低電力状態であるかどうかが判定される。情報処理システムが低電力状態の場合、ステップ２２８において、情報処理システムを高電力状態に移行すべきかどうかが判定される。本発明の一実施形態では、ステップ２３０において、情報処理システムに実装されているパワーマネジメントモジュールが、情報処理システムを高電力状態に移行させる。情報処理システムが高電力状態に移行されると、ステップ２３２において、インタフェース接続マネージャによって、情報処理システムの周辺機器インタフェースへの接続が確立される。次に、ステップ２３４において、モバイルデバイスが情報処理動作を実施するために、モバイルデバイスの周辺機器も使用するかどうかが判定される。モバイルデバイスの周辺機器が使用される場合、ステップ２３６において、インタフェース接続マネージャは、モバイルデバイスの周辺機器インタフェースとの接続を確立する。ステップ２３８において処理動作が開始され、ステップ２４０において周辺機器の接続を変更するかどうかが判定されるまで、この動作が続行される。周辺機器の接続を変更すると判定された場合、ステップ２２４から上記工程が繰り返される。周辺機器接続を変更しないと判定された場合、ステップ２４２において、情報処理動作のためにシステムを変更するかどうかが判定される。情報処理動作のためにシステムを変更すると判定された場合、ステップ２２２から上記工程が繰り返される。システムを変更しないと判定された場合、ステップ２４４において、モバイルデバイスが情報処理システムから切断されているかどうかが判定される。切断されている場合、ステップ２４６において動作が終了する。切断されていない場合、ステップ２０２でモバイルデバイスの結合の検出が開始される。
【００２５】
ステップ２２２において、処理動作を実行するために、モバイルデバイスの代わりに情報処理システムが使用されると判定された場合、ステップ２２６において、情報処理システムが低電力状態であるかどうかが判定される。情報処理システムが低電力状態の場合、ステップ２２８において、情報処理システムを高電力状態に移行すべきかどうかが判定される。本発明の一実施形態では、ステップ２３０において、情報処理システムに実装されているパワーマネジメントモジュールが、情報処理システムを高電力状態に移行させる。情報処理システムが高電力状態に移行されると、ステップ２３２において、インタフェース接続マネージャによって、情報処理システムの周辺機器インタフェースへの接続が確立される。次に、ステップ２３４において、情報処理システムが、処理動作を実行するために、モバイルデバイスの周辺機器も使用するかどうかが判定される。モバイルデバイスの周辺機器が使用される場合、ステップ２３６において、インタフェース接続マネージャは、モバイルデバイスの周辺機器インタフェースとの接続を確立する。ステップ２３８において処理動作が開始され、ステップ２４０において周辺機器の接続を変更するかどうかが判定されるまで、この動作が続行される。周辺機器の接続を変更すると判定された場合、ステップ２２４から上記工程が繰り返される。周辺機器接続を変更しないと判定された場合、ステップ２４２において、情報処理動作のためにシステムを変更するかどうかが判定される。情報処理動作のためにシステムを変更すると判定された場合、ステップ２２２から上記工程が繰り返される。システムを変更しないと判定された場合、ステップ２４４において、モバイルデバイスが情報処理システムから切断されているかどうかが判定される。切断されている場合、ステップ２４６において動作が終了する。切断されていない場合、ステップ２０２でモバイルデバイスの結合の検出が開始される。
【００２６】
ステップ２２６において、情報処理システムが既に低電力状態であると判定された場合、あるいは、ステップ２２８において、情報処理システムを高電力状態に移行しないと判定された場合、ステップ２３２において、インタフェース接続マネージャによって、情報処理システムの周辺機器インタフェースへの接続が確立される。次に、ステップ２３４において、情報処理システムが、処理動作を実行するために、モバイルデバイスの周辺機器も使用するかどうかが判定される。モバイルデバイスの周辺機器が使用される場合、ステップ２３６において、インタフェース接続マネージャは、モバイルデバイスの周辺機器インタフェースとの接続を確立する。ステップ２３８において処理動作が開始され、ステップ２４０において周辺機器の接続を変更するかどうかが判定されるまで、この動作が続行される。周辺機器の接続を変更すると判定された場合、ステップ２２４から上記工程が繰り返される。周辺機器接続を変更しないと判定された場合、ステップ２４２において、情報処理動作のためにシステムを変更するかどうかが判定される。情報処理動作のためにシステムを変更すると判定された場合、ステップ２２２から上記工程が繰り返される。システムを変更しないと判定された場合、ステップ２４４において、モバイルデバイスが情報処理システムから切断されているかどうかが判定される。切断されている場合、ステップ２４６において動作が終了する。切断されていない場合、ステップ２０２でモバイルデバイスの結合の検出が開始される。
【００２７】
図３は、本発明の実施形態に従ってモバイルデバイスと結合された情報処理システム３００の模式図である。特定の実施形態では、モバイルデバイス３０４を情報処理システム３０２と結合することにより、モバイルデバイス３０４が、ディスプレイ画面３１２およびキーボード３１４などの情報処理システム３０２の周辺機器にアクセスすることが可能となる。また、両システムを結合することにより、モバイルデバイス３０４が、物理的ネットワーク３１８および無線ネットワーク３２４に、これらのネットワークの情報処理システム３０２への個々の接続を介してアクセスすることが可能となる。一実施形態では、インタフェース接続マネージャ（図示なし）とパワーマネジメントモジュール（図示なし）は、モバイルデバイス３０４が情報処理システム３０２の周辺機器にアクセスしている間、情報処理システム３０２を低電力状態に保持可能なように実装される。
【００２８】
さまざまな実施形態では、モバイルデバイス３０４は、入出力（Ｉ／Ｏ）ポート３１０への物理ケーブル３０８を介して情報処理システム３０２と物理的に結合される。一実施形態では、モバイルデバイス３０４は、ユニバーサルシリアルバス（ＵＳＢ）接続を介して物理的に結合される。別の実施形態では、物理的結合は、ＩＥＥＥ１３９４（Ｆｉｒｅｗｉｒｅ）接続を介した接続である。更に別の実施形態では、物理的結合は、ＰＣＩ  Ｅｘｐｒｅｓｓ（ＰＣＩｅ）接続を介した接続である。別の実施形態では、モバイルデバイス３０４は、例えば、パーソナルエリアネットワーク（ＰＡＮ）に実装されているような無線接続３０６を介して情報処理システム３０２と無線で結合される。一実施形態では、無線接続は、ブルートゥース接続を介した接続である。別の実施形態では、無線接続は、超広帯域無線（ＵＷＢ）接続を介した接続である。各種実施形態では、インタフェース接続マネージャ（図示なし）は、情報処理システム３０２とモバイルデバイス３０４の動作機能と動作状態を決定するように実装されている。これらの個々の動作機能と状態が比較され、インタフェース接続マネージャは両システム間において最適な通信チャネル接続を選択する。
【００２９】
このような実施形態では、インタフェース接続マネージャは、モバイルデバイス３０４を、情報処理システム３０２のネットワーク接続３１６，３２０が対応しているネットワーク３１８，３２４にアクセス可能とするために、情報処理システム３０２にも実装される。逆に、インタフェース接続マネージャも、情報処理システム３０２を、モバイルデバイス３０４のネットワーク接続３２２が対応しているネットワーク３２４にアクセス可能とするように実装される。一実施形態では、モバイルデバイス３０４は、物理的に３１８あるいは無線３０６により、情報処理システム３０２に結合して、物理的接続３１６を介して物理的ネットワーク３１８にアクセスする。さまざまな実施形態では、物理的ネットワーク３１８は、イーサネットネットワーク等のローカルエリアネットワーク（ＬＡＮ）、またはインターネットなど等のワイドエリアネットワーク（ＷＡＮ）を有しうる。別の実施形態では、モバイルデバイス３０４は、物理的３０８にあるいは無線３０６により、情報処理システム３０２に結合して、無線接続３２０を介して無線ネットワーク３２４にアクセスする。さまざまな実施形態では、情報処理システム３０２は、物理的３０８にモバイルデバイス３０４に結合して、無線接続３２２を介して無線ネットワーク３２４にアクセスする。この実施形態では、物理的接続３０８はＵＳＢ接続を介した接続であり、ネットワーク３２４はＥＤＧＥデータネットワークである。局所的な通信（例えば、情報処理システム用のイーサネットＬＡＮ、８０２．１１ＷｉＦｉ）に最適化されたシステムと、移動通信（例えば、モバイルデバイス用のＧＳＭ、ＥＤＧＥ）に最適化された別のシステムとを有することが有利であることは、当業者にとって明らかであろう。両システムを結合することによって、適切なとき、および必要なときに、システムがそれぞれ他方のシステムの通信機能を使用することができる一方で、サービスごとに使用するユーザアカウントは１つで済む。この結果、ユーザの通信アクセスの自由度を上げつつ、通信コストと電力消費を節約できる。例えば、通常は、ユーザのモバイルデバイスアクセスからしかアクセスできない購読ベースのサービスを、ユーザの情報処理システムでも受信することもできる。このようなサービスには、音声電話、テキストメッセージ、インスタントメッセージ、電子メール、デジタルパーソナルＴＶの受信、デジタル著作権管理（ＤＲＭ）メディアコンテンツ、モバイルデバイスのネットワークキャリアからしか利用できないパーソナライズされたウェブチャネルなどがある。
【００３０】
各種実施形態では、無線ネットワーク３２４は、ＩＥＥＥ規格８０２．１１の改良版をベースとしたＷＬＡＮ等の無線ローカルエリアネットワーク（ＷＬＡＮ）、あるいは、ＥＤＧＥ（enhanced data rates for GSM evolution）、Ｗ−ＣＤＭＡ（wideband code division multiple access）、ＥＶＤＯ（evolution-data optimized）、ＩＥＥＥ８０２．１６（ＷｉＭＡＸ）、無線ブロードバンド（ＷｉＢｒｏ）、高速下りパケットアクセス（ＨＳＤＰＡ）、および高速上りパケットアクセス（ＨＳＵＰＡ）等をベースとしたＷＷＡＮなどの無線ワイドエリアネットワーク（ＷＷＡＮ）を有しうる。各種実施形態では、インタフェース接続マネージャは、情報処理システム３０２とモバイルデバイス３０４の動作機能と動作状態を決定するように実装されている。これらの個々の動作機能と状態が比較され、インタフェース接続マネージャは情報処理システム３０２とネットワーク３１８，３２４間において最適な通信チャネル接続を選択する。無線ネットワーク３２４、物理的ネットワーク３１８、物理的接続３１６、および無線リンク３０６，３２０，３２２は、情報を交換するために、２つの情報処理システム間で接続を確立するように動作可能な電気通信技術およびプロトコルの任意の組み合わせを有しうることを、当業者は認めるであろう。
【００３１】
図４は、本発明の実施形態に従って、複数のドッキング接続を介してモバイルデバイスと結合された情報処理システム４００の模式図である。特定の実施形態では、モバイルデバイス４０４，４０８は、ドックを介して情報処理システム３０２と物理的に結合される。モバイルデバイス４０４，４０８を情報処理システム３０２と結合することにより、本明細書で詳しく説明したように、モバイルデバイス３０８が、ディスプレイ画面４１２およびキーボード４１４などの情報処理システム３０２の周辺機器にアクセスすることが可能となる。同様に、両システムを結合することにより、情報処理システム４０２が、本明細書で詳しく説明したように、モバイルデバイス４０４，４０８の通信接続や他の機能を使用することが可能となる。
【００３２】
一実施形態では、ドック４０６は、モバイルデバイス４０４を情報処理システム３０２と物理的に結合するソケットである。別の実施形態では、ドック４１０は、モバイルデバイス４０８を物理的に結合するＰＣＭＣＩＡスロットまたはＥｘｐｒｅｓｓＣａｒｄスロットである。更に別の実施形態では、モバイルデバイス４０４がソケットドック４０６にドッキングされ、同時にモバイルデバイス４０８もＰＣＭＣＩＡまたはＥｘｐｒｅｓｓＣａｒｄドック４１０にドッキングされて、ユーザが、情報処理システム４０２を介して２台のデバイスにアクセスできるようになる。この実施形態では、インタフェース接続マネージャ（図示なし）は、情報処理システムを、同様に、モバイルデバイス４０４，４０８によって実装されているＩ／Ｏ周辺機器および通信インタフェースにアクセス可能とする。例えば、ユーザが、デジタル写真をモバイルデバイス４０８から情報処理システム４１０に転送して、編集するためにディスプレイ４１２に表示させる例を考える。写真は、編集されると、セルラデータ接続を備えたモバイルデバイス４０８に転送される。モバイルデバイス４０８がドッキングされている状態で、ユーザは、モバイルデバイスの４０８のセルラ接続を使用して、送信先の携帯電話に画像を送信する。
【００３３】
一部の実施形態では、パワーマネジメントモジュール（図示なし）は、情報処理システム３０２とモバイルデバイス４０４，４０８がドック４０６，４１０を介して物理的に結合されている場合に、これらの電力状態を管理するように実装されている。一実施形態では、パワーマネジメントモジュールは、情報処理システム３０２とモバイルデバイス４０４，４０８がドック４０６，４１０を介して物理的に結合されている場合に、情報処理システム３０２からモバイルデバイス４０４，４０８に電力を供給するように実装されている。別の実施形態では、パワーマネジメントモジュールは、ドッキングされているモバイルデバイス４０４，４０８の電力状態を、ドッキングされているモバイルデバイス４０４，４０８のバッテリ（図示なし）を再充電するように動作可能な所定の電力状態に管理するように実装されている。
【００３４】
図５は、本発明の実施形態に係るドッキングアダプタの実装によって、複数のモバイルデバイスに結合可能とされた情報処理システム５００の図である。特定の実施形態では、モバイルデバイス５０４，５０８は、ユニバーサルドックを介して情報処理システム５０２と物理的に結合される。ユニバーサルドックアダプタ５２０，５２２は、ユニバーサルドック５０６を介して情報処理システム５０２と結合するように、モバイルデバイス５０４，５０８をそれぞれ適合させる。一実施形態では、ユニバーサルドックアダプタ５２０，５２２は、モバイルデバイス５０４，５０８と情報処理システム５０２の間で信号を伝達するための物理コネクタおよび電気コネクタを備える。モバイルデバイス５０４，５０８を情報処理システム５０２と結合することにより、本明細書で詳しく説明したように、モバイルデバイス３０８が、ディスプレイ画面５１２およびキーボード５１４などの情報処理システム３０２の周辺機器にアクセスすることが可能となる。同様に、両システムを結合することにより、情報処理システム５０２が、本明細書で詳しく説明したように、モバイルデバイス５０４，５０８の通信接続や他の機能を使用することが可能となる。
【００３５】
図６は、本発明の実施形態に従って実装された認証モジュールを備えた複数のモバイルデバイスに結合可能とされた情報処理システム６００の模式図である。特定の実施形態では、モバイルデバイス６０４，６０８は、認証モジュール６２０を備える。モバイルデバイス６０４，６０８を情報処理システム６０２と結合することにより、モバイルデバイス６０４，６０８が、ディスプレイ画面６１２およびキーボード６１４などの情報処理システム６０２の周辺機器にアクセスすることが可能となる。一実施形態では、インタフェース接続マネージャ（図示なし）は、情報処理システム３０２を、認証モジュール６２０と通信し、当業者に周知の認証動作を実行可能とするように実装されている。一実施形態では、認証モジュール６２０は、情報処理システム６０２に対してユーザを認証するために実装された契約者情報モジュール（ＳＩＭ）カードを備える。別の実施形態では、認証モジュール６２０は、ネットワーク接続を介して、別の情報処理システムに対してユーザを認証するように実装されている。一実施形態では、モバイルデバイス６０４，６０８は、認証モジュール６２０を備えていないが、モバイルデバイス６０４，６０８は、モバイルデバイス６０４，６０８のモバイルキャリアネットワークによって実装されているセキュアネットワークサービスの拡張機能によって、情報処理システム６０２を介して認証サービスを提供することが可能である。一実施形態では、ユーザは、情報処理システム６０２を介してモバイルデバイス６０４，６０８にアクセスし、セキュアな第３世代ワイヤレス接続を介してネットワーク認証サーバに接続する。接続されると、ユーザが認証されるまで、認証動作が実行される。別の実施形態では、ユーザが、デジタル著作権管理（ＤＲＭ）メカニズムを使用して保護されたコンテンツにアクセスできるように、認証モジュール６２０を使用してユーザが認証される。
【００３６】
さまざまな実施形態では、モバイルデバイス６０４は、本明細書で詳しく説明したように、入出力（Ｉ／Ｏ）６１０ポートへの物理ケーブル６０８を介して情報処理システム６０２と物理的に結合される。別の実施形態では、モバイルデバイス６０４は、本明細書で詳しく説明したように、例えば、パーソナルエリアネットワーク（ＰＡＮ）に実装されているような無線接続６０６を介して情報処理システム６０２と無線で結合される。更に別の実施形態では、モバイルデバイス６０８は、本明細書で詳しく説明したように、ＰＣＭＣＩＡドックまたはＥｘｐｒｅｓｓＣａｒｄドック６１０を介して情報処理システム６０２と物理的に結合される。各種実施形態では、インタフェース接続マネージャ（図示なし）は、認証動作を実行するために、情報処理システム６０２とモバイルデバイス６０４の動作機能と動作状態を決定するように実装されている。これらの個々の動作機能と状態が比較され、インタフェース接続マネージャは両システム間で最適なセキュアな通信チャネル接続を選択する。安全に接続が行われると、認証動作が実行される。
【００３７】
当業者は、上記以外にも本発明の多くのほかの実施形態および変形例が可能であることを認めるであろう。また、本発明の実施形態で説明した本発明の構成要素のそれぞれは、複数の構成要素から構成され、その各々が分散環境でほかの構成要素とインタラクトしてもよい。更に、本発明のほかの実施形態は、システムの実装のスケールおよび範囲を広げるために、説明した実施形態を拡張してもよい。 
【図１】
2010518466.tif 000003
【図２ａ】
2010518466.tif 000004
【図２ｂ】
2010518466.tif 000005
【図３】
2010518466.tif 000006
【図４】
2010518466.tif 000007
【図５】
2010518466.tif 000008
【図６】
2010518466.tif 000009
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
処理を情報するためのシステム（６００）であって、
第２の情報処理システム（６０４，６０８）と結合されるように動作可能な第１の情報処理システム（６０２）と、
前記第１の情報処理システムと前記第２の情報処理システムとの間で、情報を通信するように動作可能な少なくとも１つの通信チャネルを確立する処理ロジックと、
前記第１の情報処理システムと前記第２の情報処理システムの間で複数のインタフェース接続を可能にするように動作可能なインタフェース接続バスと、
前記第２の情報処理システム（６０４，６０８）を、情報処理動作を実行可能とするように動作可能なインタフェース接続マネージャとを備え、前記第２の情報処理システム（６０４，６０８）は、前記第１の情報処理システム（６０２）の少なくとも１つの入出力デバイスインタフェースに接続され、
前記第２の情報処理システム（６０４，６０８）は認証動作を実行するように動作可能な認証モジュール（６２０）を有するシステム。
【請求項２】
前記第２の情報処理システム（６０８）は前記第１の情報処理システムと物理的に結合されるように動作可能である、請求項１に記載のシステム。
【請求項３】
前記物理的結合はケーブルを介しており、前記ケーブルは複数のインタフェース接続を有する、請求項２に記載のシステム。
【請求項４】
前記物理的結合はドック（６１０）を介しており、前記ドックは複数のインタフェース接続を有する、請求項２に記載のシステム。
【請求項５】
前記ドック（６１０）はＰＣＭＣＩＡスロットまたはＥｘｐｒｅｓｓＣａｒｄスロットを有し、前記ＰＣＭＣＩＡスロットは複数のインタフェース接続を有する、請求項４に記載のシステム。
【請求項６】
前記認証モジュール（６２０）は前記第１の情報処理システム（６０２）に対してユーザを認証するように実装された契約者情報モジュール（ＳＩＭ）カードを有する、請求項１に記載のシステム。
【請求項７】
処理を情報するための方法であって、
第１の情報処理システム（６０２）を第２の情報処理システム（６０４，６０８）と結合するステップと、
前記第１の情報処理システムと前記第２の情報処理システムとの間で情報を通信するように動作可能な少なくとも１つの通信チャネルを確立するために処理ロジックを使用するステップと、
インタフェース接続バスを介して前記第１の情報処理システムと前記第２の情報処理システムとの間で複数の所定のインタフェース接続を有効にするステップと、
前記第１の情報処理システム（６０２）の少なくとも１つの入出力デバイスインタフェースを前記第２の情報処理システム（６０４，６０８）と接続するために、インタフェース接続マネージャを使用して、前記第２の情報処理システム（６０４，６０８）に情報処理動作を実行可能とさせるステップとを含み、
前記第２の情報処理システム（６０４，６０８）は、認証動作を実行するように動作可能な認証モジュール（６２０）を備える方法。
【請求項８】
前記第２の情報処理システム（６０８）は前記第１の情報処理システムと物理的に結合されるように動作可能である、請求項７に記載の方法。
【請求項９】
前記物理的結合はケーブルを介しており、前記ケーブルは複数のインタフェース接続を有する、請求項８に記載の方法。
【請求項１０】
前記物理的結合はドック（６１０）を介しており、前記ドックは複数のインタフェース接続を有する、請求項９に記載の方法。
【請求項１１】
前記ドック（６１０）はＰＣＭＣＩＡスロットを有し、前記ＰＣＭＣＩＡスロットは複数のインタフェース接続を有する、請求項１０に記載の方法。
【請求項１２】
前記認証モジュール（６２０）は前記第１の情報処理システム（６０２）に対してユーザを認証するように実装された契約者情報モジュール（ＳＩＭ）カードを有する、請求項７に記載の方法。
【国際調査報告】
2010518466.tif 000010
2010518466.tif 000011